(57)【要約】【課題】本発明は、ペットの首などに締結するが、ペットの動きを妨げずにペットに関連する様々な情報を提供することができるペット用表示装置を提供することができる。【解決手段】本発明の主な構成は、内部に複数の電子部品を設けることができる空間が形成され、一方向に所定の長さを有するハウジング部材（１０）と、ハウジング部材（１０）に設けられて様々な情報を表示するディスプレイ部（２０）と、ディスプレイ部（２０）の電源をオン−オフすることができ、ディスプレイ部（２０）に表示される情報を変更するスイッチモジュール（３０）と、外部から電源を充電し、ハウジング部材の内部に設けられた複数の電子部品に電源を供給するように管理する電源モジュール（４０）と、ペットの状態を測定する１つ以上のセンサを含むセンサモジュール（５０）と、着用するペットに関連する情報を格納して管理する動物情報管理モジュール（６０）と、航法衛星と一定時間間隔で通信して位置に対する座標データを受信する航法衛星受信モジュール（７０）と、外部と通信しながらディスプレイ部（２０）に表示される情報を送受信する通信モジュール（８０）とを含むことを特徴とする。【選択図】図１
2017529058.tif 000002
【特許請求の範囲】
【請求項１】
内部に複数の電子部品を設けることができる空間が形成され、一方向に所定の長さを有するハウジング部材と、
前記ハウジング部材に設けられて様々な情報を表示するディスプレイ部と、
前記ディスプレイ部の電源をオン−オフすることができ、前記ディスプレイ部に表示される情報を変更するスイッチモジュールと、
外部から電源を充電し、前記ハウジング部材の内部に設けられた複数の電子部品に電源を供給する電源モジュールと、
ペットの状態を測定する１つ以上のセンサを含むセンサモジュールと、
着用するペットに関連する情報を格納して管理する動物情報管理モジュールと、
航法衛星と一定時間間隔で通信して位置に対する座標データを受信する航法衛星受信モジュールと、
外部と通信しながら前記ディスプレイ部に表示される情報又は動物グループ表示部に格納された情報を送受信する通信モジュールとを含むことを特徴とするペット用表示装置。
【請求項２】
前記ハウジング部材の両側端部には締結部が備えられ、前記締結部の一側は、外部装置と電気的に接続することができるＵＳＢ接続端子で形成されることを特徴とする請求項１に記載のペット用表示装置。
【請求項３】
前記スイッチモジュールは、前記ハウジング部材の外面に設けられ、前記ディスプレイ部の画面のタッチを認識するもので、ユーザが押すことによって前記ディスプレイ部の作動などを制御するスイッチ部と、前記ディスプレイ部の電源をオン−オフさせるディスプレイ部作動部と、前記ディスプレイ部の画面の明るさを調節できる画面の明るさ調節部と、前記ディスプレイ部に表示される情報の切り替えが速く又は遅く変更されるようにする表示情報調節部とを含むことを特徴とする請求項１に記載のペット用表示装置。
【請求項４】
前記電源モジュールは、外部から電源が供給されて充電され、電源を供給するバッテリと、前記ハウジング部材の一側に位置し電気的に前記バッテリに接続されており、外部から供給された電源を前記バッテリに伝達して充電されるようにする電源接続部と、前記バッテリの充電状態を前記ディスプレイ部の一側に表示する電源表示部とを含むことを特徴とする請求項１に記載のペット用表示装置。
【請求項５】
前記動物情報管理モジュールは、ペット用表示装置の固有の識別情報と動物に対する情報を登録して格納する動物情報登録部と、前記センサモジュールで測定されたペットの状態に対する情報を格納するセンシング情報格納部と、登録されたペットの種類に応じてディスプレイ画面の一部又は全部の色が異なるように表示する動物グループ表示部とを含むことを特徴とする請求項１に記載のペット用表示装置。
【請求項６】
ペット用表示装置は、交配情報を登録して他のペット用表示装置と通信しながら対応する交配相手を確認して表示する交配管理モジュールをさらに含むことを特徴とする請求項１に記載のペット用表示装置。
【請求項７】
前記交配管理モジュールは、交配に対する情報を登録する交配登録部と、通信モジュールを介して他のペット用表示装置又はスマートフォンと通信しながら探そうとする交配相手に対する情報を確認できる交配通信部と、前記交配通信部で交配可能な相手に対する情報が確認されると、前記ディスプレイ部に文字又は色で表示する交配表示部とを含むことを特徴とする請求項６に記載のペット用表示装置。
【請求項８】
交配情報は、交配を希望する複数の品種を選択して登録することができ、さらに交配期間を含むことを特徴とする請求項６に記載のペット用表示装置。
【請求項９】
ペット用表示装置は、飼い主のスマートフォンと通信しながら一定距離以上離れると、警告情報を出力する紛失防止モジュールをさらに含むことを特徴とする請求項１に記載のペット用表示装置。
【請求項１０】
前記紛失防止モジュールは、近距離通信で一定距離以内で登録された飼い主のスマートフォンを感知する飼い主感知通信部と、飼い主感知通信部で飼い主のスマートフォンが認識されない場合は、予め録音された紛失防止警告音を出力したり、又はディスプレイ部に警告メッセージを出力する紛失警告部とを含むことを特徴とする請求項９に記載のペット用表示装置。
【請求項１１】
前記紛失防止モジュールは、飼い主のスマートフォンに紛失警告部の作動情報と最終的に感知された地点に対する情報を提供する最終位置送信部をさらに含むことを特徴とする請求項９に記載のペット用表示装置。
【請求項１２】
ペット用表示装置は、速度センサで一定範囲以内に一定速度以上で近づく物体が感知されると、警告音を出力する衝突警告モジュールをさらに含むことを特徴とする請求項１に記載のペット用表示装置。
【請求項１３】
前記衝突警告モジュールは、前記ハウジング部材に装着されて一定距離以内に近づく物体と速度を確認できる移動物体確認部と、移動物体確認部で速度を有する物体が感知されると、警告音を出力する衝突警告部とを含むことを特徴とする請求項１２に記載のペット用表示装置。
【請求項１４】
ペット用表示装置は、動物のセンシングされた情報を既に登録された情報と比較してペットの心理状態をディスプレイ部に表示する動物心理確認モジュールをさらに含むことを特徴とする請求項１に記載のペット用表示装置。
【請求項１５】
前記ペットの心理状態は、脈拍、動き、鳴き声に応じて機嫌が良い、機嫌が悪い、悲しいなどに区分されて格納されることを特徴とする請求項１４に記載のペット用表示装置。
【請求項１６】
前記動物心理確認モジュールは、前記ペットの心理状態に対応する情報を格納する心理情報格納部と、前記センサモジュールによって測定されたペットの脈拍、動き、鳴き声を感知する心理状態感知部と、前記心理状態感知部で感知された情報を既に登録された情報と比較して対応する心理情報を確認できる心理状態確認部と、前記心理状態確認部で確認された心理をディスプレイ部に表示する心理状態表示部とを含むことを特徴とする請求項１４に記載のペット用表示装置。
【請求項１７】
前記動物心理確認モジュールは、前記ペットの心理状態を飼い主のスマートフォンに提供する心理状態提供部をさらに含むことを特徴とする請求項１６に記載のペット用表示装置。
【請求項１８】
ペット用表示装置は、ペットが利用する利用施設に関する情報を登録して格納し、利用施設と通信しながら各種情報を送受信する利用施設管理モジュールをさらに含むことを特徴とする請求項１に記載のペット用表示装置。
【請求項１９】
前記利用施設管理モジュールは、ペットが利用する利用施設に関する情報を格納する利用施設登録部と、利用施設から受信する情報をディスプレイ部に表示する利用施設情報表示部と、ペットに関する更新情報を送信する更新送信部とを含むことを特徴とする請求項１８に記載のペット用表示装置。
【請求項２０】
ペット用表示装置は、一側が前記ハウジング部材と結合され、他側は、ユーザが握ることができるようにハンドルが形成されたリード部材をさらに含み、前記リード部材のハンドルには、前記電源モジュールに電源を供給するための補助バッテリが備えられることを特徴とする請求項１に記載のペット用表示装置。
【発明の詳細な説明】
【技術分野】
【０００１】
本発明は、ペット用表示装置に関し、より詳しくは、ペットの動きを妨げずにペットに関連する様々な情報を提供することができるペット用表示装置に関する。
【背景技術】
【０００２】
家族の人数が減少するに伴い、日常生活の退屈を避けるために、人間と一緒に居住し生活するペットが段々と増えており、その種類も多様化している。このように、ペットと一緒に生活している家庭の数が増えるに伴い、不注意により飼い主の手から離れてしまうペットの数も急速に増えている。
【０００３】
離れたペットは野性化し人々を襲ったり、病気発生の媒介となる場合が多いため、野生化したペットを管理する社会的費用も増加している。したがって、ペットの紛失防止及び保護のために動物の名前や飼い主の連絡先を記録した認識証を動物に付着させる場合があるが、認識証に様々な情報を表示するには許容空間が十分ではない。
【０００４】
又、ＲＦＩＤタグをペットの体内に埋め込む場合もあるが、このような場合、飼い主ではない、第３者はＲＦＩＤタグの存在を認識できない場合が発生し得る。
【０００５】
上述のようにペットを失ってしまうことを防止するために、特許文献１(考案の名称：位置チェック機能を有する動物モニタリング装置、以下、「先行技術」とする。）がある。しかしながら、先行技術は、ペットの首輪などに別途に締結するように構成されるので、小さなペットには使用しにくいという問題がある。
【先行技術文献】
【特許文献】
【０００６】
【特許文献１】韓国登録実用新案第２０−０３４８７２４号公報
【発明の概要】
【発明が解決しようとする課題】
【０００７】
本発明の目的は、ペットの首などに締結するが、ペットの動きを妨げずにペットに関連する様々な情報を提供することができるペット用表示装置を提供することである。
【０００８】
本発明の他の目的は、ペットの交配情報を登録して散歩時などに他のペット用表示装置と通信しながら交配相手を正確に探すことができるペット用表示装置を提供することである。
【０００９】
本発明の又他の目的は、飼い主のスマートフォンと通信しながら一定距離以上離れた場合に警告することにより行方不明になることを防止することができるペット用表示装置を提供することである。
【００１０】
本発明の又他の目的は、ペットの心理状態を確認し表示することにより、飼い主がペットの心理状態を確認することができるペット用表示装置を提供することである。
【課題を解決するための手段】
【００１１】
本発明の一実施例に係るペット用表示装置は、内部に複数の電子部品を設けることができる空間が形成され、一方向に所定の長さを有するハウジング部材（１０）と、ハウジング部材（１０）に設けられて様々な情報を表示するディスプレイ部（２０）と、ディスプレイ部（２０）の電源をオン−オフすることができ、ディスプレイ部（２０）に表示される情報を変更するスイッチモジュール（３０）と、外部から電源を充電し、ハウジング部材（１０）の内部に設けられた複数の電子部品に電源を供給する電源モジュール（４０）と、ペットの状態を測定する１つ以上のセンサを含むセンサモジュール（５０）と、着用するペットに関連する情報を格納して管理する動物情報管理モジュール（６０）と、航法衛星と一定時間間隔で通信して位置に対する座標データを受信する航法衛星受信モジュール（７０）と、外部と通信しながらディスプレイ部（２０）に表示される情報を送受信する通信モジュール（８０）とを含むことを特徴とする。
【００１２】
望ましくは、ハウジング部材（１０）の両側端部には締結部（１１）が備えられ、締結部（１１）の一側は、外部装置と電気的に接続することができるＵＳＢ接続端子（４４）で形成されることを特徴とする。
【００１３】
望ましくは、スイッチモジュール（３０）は、ハウジング部材の外面に設けられ、ディスプレイ部（２０）の画面のタッチを認識するもので、ユーザが押すことによってディスプレイ部（２０）の作動などを制御するスイッチ部（３１）と、ディスプレイ部（２０）の電源をオン−オフさせるディスプレイ部作動部（３２）と、ディスプレイ部（２０）の画面の明るさを調節する画面の明るさ調節部（３３）と、ディスプレイ部（２０）に表示される情報の切り替えが速く又は遅く変更されるようにする表示情報調節部（３４）とを含むことを特徴とする。
【００１４】
望ましくは、電源モジュール（４０）は、外部から電源が供給されて充電され、電源を供給するバッテリ（４１）と、ハウジングの一側に位置し電気的にバッテリ（４１）に接続されており、外部から供給された電源をバッテリ（４１）に伝達して充電されるようにする電源接続部（４２）と、バッテリ（４１）の充電状態をディスプレイ部（２０）の一側に表示する電源表示部（４３）とを含むことを特徴とする。
【００１５】
望ましくは、バッテリ（４１）は、締結部（１１）としても使用されるＵＳＢ接続端子（４４）を介して充電されたり、又は別の電源接続部（４２）を介して供給される電源により充電されることを特徴とする。
【００１６】
望ましくは、動物情報管理モジュール（６０）は、ペット用表示装置の固有の識別情報と動物に対する情報を登録して格納する動物情報登録部（６１）と、センサモジュール（５０）で測定されたペットの状態に対する情報を格納するセンシング情報格納部（６２）と、登録されたペットの種類に応じてディスプレイ画面の一部又は全部の色が異なるように表示する動物グループ表示部（６３）とを含むことを特徴とする。
【００１７】
望ましくは、ペット用表示装置は、交配情報を登録して他のペット用表示装置と通信しながら対応する交配相手を確認して表示する交配管理モジュール（９０）をさらに含むことを特徴とする。
【００１８】
望ましくは、交配管理モジュール（９０）は、交配に対する情報を登録する交配登録部（９１）と、通信モジュール（８０）を介して他のペット用表示装置又はスマートフォンと通信しながら探そうとする交配相手に対する情報を確認できる交配通信部（９２）と、交配通信部（９２）で交配可能な相手に対する情報が確認されると、ディスプレイ部（２０）に文字又は色で表示する交配表示部（９３）とを含むことを特徴とする。
【００１９】
望ましくは、ペット用表示装置は、飼い主のスマートフォンと通信しながら一定距離以上離れると、警告情報を出力する紛失防止モジュール（１００）をさらに含むことを特徴とする。
【００２０】
望ましくは、紛失防止モジュール（１００）は、近距離通信で一定距離以内で登録された飼い主のスマートフォンを感知する飼い主感知通信部（１０１）と、飼い主感知通信部（１０１）で飼い主のスマートフォンが認識されない場合は予め録音された紛失防止警告音を出力したり、又はディスプレイ部（２０）に警告メッセージを出力する紛失警告部（１０２）と、飼い主のスマートフォンに紛失警告部（１０２）の作動情報と最終的に感知された地点に対する情報を提供する最終位置送信部（１０３）とを含むことを特徴とする。
【００２１】
望ましくは、ペット用表示装置は、速度センサで一定範囲以内に一定速度以上で近づく物体が感知されると、警告音を出力する衝突警告モジュール（１１０）をさらに含むことを特徴とする。
【００２２】
望ましくは、衝突警告モジュール（１１０）は、ハウジング部材に装着されて一定距離以内に近づく物体と速度を確認できる移動物体確認部（１１１）と、移動物体確認部（１１１）で速度を有する物体が感知されると、警告音を出力する衝突警告部（１１２）とを含むことを特徴とする。
【００２３】
望ましくは、ペット用表示装置は、動物のセンシングされた情報を既に登録された情報と比較してペットの心理状態をディスプレイ部（２０）に表示する動物心理確認モジュール（１２０）をさらに含むことを特徴とする。
【００２４】
望ましくは、動物心理確認モジュール（１２０）は、ペットの心理状態に対応する情報を格納する心理情報格納部（１２１）と、センサモジュール（５０）によって測定されたペットの脈拍、動き、鳴き声を感知する心理状態感知部（１２２）と、心理状態感知部（１２２）で検出された情報を既に登録された情報と比較して対応する心理情報を確認できる心理状態確認部（１２３）と、心理状態確認部（１２３）で確認された心理を表示するディスプレイ部（２０）に表示する心理状態表示部（１２４）と、ペットの心理状態を飼い主のスマートフォンに提供する心理状態提供部（１２５）とを含むことを特徴とする。
【００２５】
望ましくは、ペット用表示装置は、ペットが利用する利用施設に関する情報を登録して格納し、利用施設と通信しながら各種情報を送受信する利用施設管理モジュール（１３０）をさらに含むことを特徴とする。
【００２６】
望ましくは、利用施設管理モジュール（１３０）は、ペットが利用する利用施設に関する情報を格納する利用施設登録部（１３１）と、利用施設から受信した情報をディスプレイ部（２０）に表示する利用施設情報表示部（１３２）と、ペットに関する更新情報を送信する更新送信部（１３３）とを含むことを特徴とする。
【００２７】
望ましくは、一側がハウジング部材（１０）と結合され、他側はユーザが握ることができるようにハンドルが形成されたリード部材（１４０）をさらに含むことを特徴とする。
【発明の効果】
【００２８】
本発明によれば、ペットの首などに締結してペットの動きを妨げず、様々な情報をユーザ又は第３者に伝達することができる効果がある。
【００２９】
なお、スイッチ部の操作だけでディスプレイ部に様々な情報が変更されるように操作することができるので、利便性に優れる効果がある。
【００３０】
なお、他のペット用表示装置と通信しながら互いの相手を正確に探すことができる効果がある。
【００３１】
なお、飼い主のスマートフォンと通信しながら一定距離以上離れると警告するため行方不明になることを防止することができる効果がある。
【００３２】
なお、ペットの心理状態を確認して表示することにより、飼い主がペットの心理状態に合わせて対応することができる効果がある。
【図面の簡単な説明】
【００３３】
【図１】本発明に係るペット用表示装置を示す例示図である。
【図２】本発明に係るペット用表示装置を示すブロック図である。
【図３】本発明に係るスイッチモジュールを示すブロック図である。
【図４】本発明に係る電源モジュールを示すブロック図である。
【図５】本発明に係る動物情報管理モジュールを示すブロック図である。
【図６】本発明に係る交配管理モジュールを示すブロック図である。
【図７】本発明に係る紛失防止モジュールを示すブロック図である。
【図８】本発明に係る衝突警告モジュールを示すブロック図である。
【図９】本発明に係る動物心理確認モジュールを示すブロック図である。
【図１０】本発明に係る利用施設管理モジュールを示すブロック図である。
【図１１】本発明に係るリード部材を示すブロック図である。
【発明を実施するための形態】
【００３４】
以下、添付の図面を参照して本発明の望ましい実施例をより詳しく説明するが、本発明はこれらの実施例により限定されるものではない。
【００３５】
図示したように、本発明のペット用表示装置は、ハウジング部材（１０）、ディスプレイ部（２０）、スイッチモジュール（３０）、電源モジュール（４０）、センサモジュール（５０）、動物情報管理モジュール（６０）、航法衛星受信モジュール（７０）、通信モジュール（８０）、交配管理モジュール（９０）、紛失防止モジュール（１００）、衝突警告モジュール（１１０）、動物心理確認モジュール（１２０）、利用施設管理モジュール（１３０）、及びＭＣＵモジュール（１５０）を含む。
【００３６】
ハウジング部材（１０）は、内部に複数の電子部品を設けることができる空間が形成され、一方向に所定の長さを有する。図１に示すように、ハウジング部材（１０）は、ペットの首に巻ける所定の長さを有し、ほぼ直方体形状のリング形状に形成される。このようなハウジング部材（１０）は、自由に曲げることができるようにプラスチック、シリコン、ゴムなどの材質で作製することが望ましい。
【００３７】
ハウジング部材（１０）の両側端部には締結部（１１）が備えられる。締結部（１１）は、ハウジング部材（１０）の両側端部が互いに嵌合して結合されるようにする。締結部（１１）の一側は、外部装置と電気的に接続することができるＵＳＢ接続端子（４４）が形成され、他側は、ＵＳＢ接続端子（４４）が挿入される形状に形成されることが望ましい。このようなＵＳＢ接続端子（４４）は、ハウジング部材（１０）を締結する締結部（１１）として使用され、又、外部装置と接続して電源を供給したり、又はペット用表示装置を制御することもできるようにする。
【００３８】
そして、ハウジング部材（１０）の外面に動物認識用ＱＲコード（登録商標）を別途に印刷することができる。これはＱＲコード（登録商標）を認識できる外部機器を利用してＱＲコード（登録商標）を介してペットに関連する情報を確認できるようにするためである。
【００３９】
ディスプレイ部（２０）は、ハウジング部材（１０）に設けられて様々な情報を表示する。ディスプレイ部（２０）は、ハウジング部材（１０）の外面に設けることができ、必要に応じてハウジング部材（１０）の内部に設けてディスプレイ部（２０）に表示された情報がハウジング部材（１０）を透過して外部に表示されるようにすることもできる。この際、ディスプレイ部はＬＥＤ（Ｌｉｇｈｔ Ｅｍｉｔｔｉｎｇ Ｄｉｏｄｅ）、ＯＬＥＤ（Ｏｒｇａｎｉｃ Ｌｉｇｈｔ Ｅｍｉｔｔｉｎｇ Ｄｉｏｄｅｓ）などからなる。このようなディスプレイ部（２０）は、ユーザの電話番号などの連絡先、ペットの名前、種類及び動物認識用情報（例えば、バーコード、ＱＲコード（登録商標）など）などが交互に繰り返して表示されるか、又は一方向に移動しながら表示される。
【００４０】
スイッチモジュール（３０）は、ディスプレイ部（２０）の電源をオン−オフすることができ、ディスプレイ部（２０）に表示される情報を変更する。このようなスイッチモジュール（３０）は、図３に示すように、スイッチ部（３１）、ディスプレイ部作動部（３２）、画面の明るさ調節部（３３）、及び表示情報調節部（３４）を含む。この際、ディスプレイ部（２０）の画面がタッチスクリーンである場合には、スイッチモジュール（３０）は画面をタッチして制御するようになる。
【００４１】
スイッチ部（３１）は、ハウジング部材の外面に設けられ、ディスプレイ部（２０）の画面のタッチを認識するものであり、ユーザが押すことによってディスプレイ部（２０）の作動などを制御する。
【００４２】
ディスプレイ部作動部（３２）は、ディスプレイ部（２０）の電源をオン−オフさせる。ディスプレイ部作動部（３２）は、ディスプレイ部（２０）のオフ状態でスイッチ部（３１）が押されると、ディスプレイ部（２０）に電源を供給してオンさせ、ディスプレイ部（２０）のオン状態でスイッチ部（３１）が一度押されると、ディスプレイ部（２０）の電源をオフさせたり、又は一定時間が経過すると、電源をオフさせるようになる。この際、ディスプレイ部（２０）がオンになると、各種情報が表示される。
【００４３】
画面の明るさ調節部（３３）は、スイッチ部（３１）を一定時間以上（約２秒以上）押すことにより、ディスプレイ部（２０）の画面の明るさを調節することができる。例えば、スイッチ部（３１）を２秒以上長く押すと、画面の明るさを調整することができるように設定され、連続的に押すと、ディスプレイ部（２０）の明るさが明るく又は暗く変更される。
【００４４】
表示情報調節部（３４）は、ディスプレイ部（２０）のオン状態でユーザがスイッチ部（３１）を一定時間短く二度（ダブルクリック）押すと、ディスプレイ部（２０）に表示される様々な情報の切り替えが速く又は遅く変更されるようにする。
【００４５】
電源モジュール（４０）は、外部から電源を充電し、ハウジング部材（１０）の内部に設けられた複数の電子部品に電源を供給する。このような電源モジュール（４０）は、図４に示すように、バッテリ（４１）、電源接続部（４２）、及び電源表示部（４３）を含む。
【００４６】
バッテリ（４１）は、ハウジング部材の内部に位置し、外部から電源が供給されて充電され、ディスプレイ部（２０）を含む電子部品に電源を供給する。このようなバッテリ（４１）は、締結部（１１）としても使用されるＵＳＢ接続端子（４４）を介して充電されたり、又は別の電源接続部（４２）を介して供給される電源により充電することもできる。
【００４７】
電源接続部（４２）は、ハウジング部材の一側に位置し、電気的にバッテリ（４１）に接続されており、外部から供給された電源をバッテリ（４１）に伝達して充電されるようにする。本発明の一実施例において、電源接続部（４２）は、例えば、ｍｉｃｒｏ-ＵＳＢ接続端子（４４）であり、必要に応じて、スマートフォンの充電器などの他の種類のインターフェースである。
【００４８】
電源表示部（４３）は、バッテリ（４１）の充電状態をディスプレイ部（２０）の一側に表示する。このような電源表示部（４３）は、バッテリ（４１）の残量を絵柄又は数字などで表示し、バッテリ（４１）の残量が基準以下であれば、外部から確認できるようにディスプレイ部（２０）の電源を作動させて充電メッセージを表示することが望ましい。例えば、バッテリ（４１）の残量が５％未満になると、ディスプレイ部（２０）を作動させながら、「充電が必要です。」とメッセージを表示するようになる。
【００４９】
センサモジュール（５０）は、ペットの健康状態などを測定するための１つ以上のセンサが含まれる。この際、測定するペットの健康状態は、血糖値、体温、及び心拍状態などである。血糖値は、非侵襲的（注射針等で採血せず）に測定するためにセンサにより測定され、体温は、温度センサ、心拍状態は、心拍数センサ（Ｐｕｌｓｅ Ｓｅｎｓｏｒ）、近接する物体の速度は、速度センサによって測定される。
【００５０】
動物情報管理モジュール（６０）は、ペット用表示装置を着用するペットに関連する情報を格納して管理する。このような動物情報管理モジュール（６０）は、図５に示すように、動物情報登録部（６１）、センシング情報格納部（６２）、及び動物グループ表示部（６３）を含む。
【００５１】
動物情報登録部（６１）は、ペット用表示装置の固有の識別情報とペットに関連する情報を登録して格納する。ペット情報には、飼い主の連絡先、ペットの名前、種類及び動物認識用情報（例えば、バーコード、ＱＲコード（登録商標）など）などを含む。このような固有の識別情報を利用してそれぞれのペット用表示装置を区別することができる。動物情報登録部（６１）は、各種情報が格納されるＲＦＩＤチップ（図示せず）としてハウジング部材の内部に設けることができる。
【００５２】
センシング情報格納部（６２）は、センサモジュール（５０）で測定されたペットの状態に対する情報を格納する。格納された情報は、ディスプレイ部（２０）により表示することができ、通信モジュール（８０）により外部に伝達することもできる。
【００５３】
動物グループ表示部（６３）は、登録されたペットの種類に応じてディスプレイ画面の一部又は全部の色が異なるように表示する。例えば、プードルの場合は、ディスプレイ画面の全部又は一部を青色で表示することができる。
【００５４】
航法衛星受信モジュール（７０）は、航法衛星と一定時間間隔で通信して位置に対する座標データを受信する。受信された座標データは、動物グループ表示部（６３）に伝達され、位置追跡などに使用される。このような航法衛星受信モジュール（７０）の情報は、飼い主のスマートフォンに提供されることが望ましい。
【００５５】
通信モジュール（８０）は、外部と通信しながらディスプレイ部（２０）に表示される情報又は動物グループ表示部（６３）に格納された情報を送受信する。通信モジュール（８０）は、ブルートゥース（登録商標）、ビーコン（Ｂｅａｃｏｎ）などを含む有線及び無線通信手段を含む。
【００５６】
交配管理モジュール（９０）は、交配情報が登録されると、他のペット用表示装置と通信しながら対応する交配相手を確認して表示する。このような交配管理モジュール（９０）は、図６に示すように、交配登録部（９１）と、交配通信部（９２）と、交配表示部（９３）とを含む。
【００５７】
交配登録部（９１）は、ペットの交配を希望する場合に交配に対する情報を登録する。この際、交配情報は、交配を希望する複数の品種を選択して登録することができ、さらに交配期間を含むことが望ましい。
【００５８】
交配通信部（９２）は、通信モジュール（８０）を介して他のペット用表示装置又はスマートフォンと通信しながら探そうとする交配相手に対する情報を確認することができる。この際、交配通信部（９２）は、一定距離内に接近すると交配情報を確認できるビーコン（Ｂｅａｃｏｎ）などの近距離通信を使用する。
【００５９】
交配表示部（９３）は、交配通信部（９２）で交配可能な相手に関する情報が確認されると、ディスプレイ部（２０）に文字又は色で表示する。この際、互いの相手が確認された場合は、それぞれのペット用表示装置のディスプレイ部（２０）の画面を同じ色で表示することが望ましい。
【００６０】
このような交配管理モジュール（９０）によってペットと一緒に街を散歩する間にも他のペット用表示装置が一定距離内に接近すると交配相手を容易に確認できるようになる。
【００６１】
紛失防止モジュール（１００）は、飼い主のスマートフォンと通信しながら一定距離以上離れると、警告メッセージ又は飼い主に警告情報を出力する。このような紛失防止モジュール（１００）は、図７に示すように、飼い主感知通信部（１０１）と、紛失警告部（１０２）と、最終位置送信部（１０３）とを含む。紛失防止モジュール（１００）の動作は、ハウジング部材に別のスイッチを設けて作動したり、又はディスプレイ部（２０）のタッチスクリーンにメニューを提供しながら作動したり、又はユーザのスマートフォンで作動することができる。
【００６２】
飼い主感知通信部（１０１）は、近距離通信で一定距離以内で登録された飼い主のスマートフォンを感知する。
【００６３】
紛失警告部（１０２）は、飼い主感知通信部（１０１）で飼い主のスマートフォンが認識できない場合は、予め録音された紛失防止警告音を出力したり、又はディスプレイ部（２０）に警告メッセージを出力する。この際、紛失防止警告音は、録音された飼い主の声で「Ｉ’ｍ ｌｏｓｔ！， Ｐｌｅａｓｅ ｃｏｎｔａｃｔ ｐｈｏｎｅ＊＊＊−＊＊＊＊−＊＊＊＊」、「止まれ」などの助けを求める内容を音声で出力するか、又はディスプレイ部（２０）に表示することができる。
【００６４】
最終位置送信部（１０３）は、飼い主のスマートフォンに紛失警告部（１０２）の作動情報と最終的に感知された地点に対する情報を提供する。
【００６５】
このような紛失防止モジュール（１００）によって、ペットが飼い主から一定距離以上を離れると、紛失警告部（１０２）によりその場に止まっているか、又は他人に助けられて行方不明になることを防止することができる。
【００６６】
衝突警告モジュール（１１０）は、速度センサで一定範囲以内に一定速度以上で近づく物体が感知されると警告音を出力する。このような衝突警告モジュール（１１０）は、図８に示すように、移動物体確認部（１１１）と、衝突警告部（１１２）とを含む。衝突警告モジュール（１１０）の動作は、ディスプレイ部（２０）のタッチスクリーンに提供されるメニューを介して作動するか、又はユーザのスマートフォンで作動することができる。
【００６７】
移動物体確認部（１１１）は、ハウジング部材に装着されて一定距離以内に自転車、自動車、走る人などの移動物体が近づいてくるかどうかと速度を確認できる。
【００６８】
衝突警告部（１１２）は、移動物体確認部（１１１）で速度を有する物体が感知されると、警告音を出力する。この際、警告音としては「止まれ」などの録音された飼い主の声を使用することができる。
【００６９】
動物心理確認モジュール（１２０）は、センシングされたペットの脈拍、動き、鳴き声を既に登録された情報と比較して、ペットの心理状態に対応する光、文句などをディスプレイ部（２０）に表示する。このような動物心理確認モジュール（１２０）は、図９に示すように、心理情報格納部（１２１）と、心理状態感知部（１２２）と、心理状態確認部（１２３）と、心理状態表示部（１２４）と、心理状態提供部（１２５）とを含む。動物心理確認モジュール（１２０）の動作は、ディスプレイ部（２０）のタッチスクリーンに提供されるメニューを介して作動されるか、又はユーザのスマートフォンで作動することができる。
【００７０】
心理情報格納部（１２１）は、ペットの心理状態に対応する脈拍、動き、鳴き声などの情報を格納する。ペットの心理状態は脈拍、動き、鳴き声に応じて機嫌が良い、機嫌が悪い、悲しいなどに区分されて格納される。
【００７１】
心理状態感知部（１２２）は、センサモジュール（５０）によって測定されたペットの脈拍、動き、鳴き声を感知する。
【００７２】
心理状態確認部（１２３）は、心理状態感知部（１２２）で感知された情報を既に登録された情報と比較して対応する心理情報を確認できる。
【００７３】
心理状態表示部（１２４）は、心理状態確認部（１２３）で確認された心理をディスプレイ部（２０）に表示する。心理情報表示部は、ペットの心理状態に応じてディスプレイ部（２０）に色や文句で表示するようになる。
【００７４】
心理状態提供部（１２５）は、ペットの心理状態を飼い主のスマートフォンに提供する。
【００７５】
このような動物心理確認モジュール（１２０）によって飼い主はペットの状態を随時確認することができる。
【００７６】
利用施設管理モジュール（１３０）は、ペットが利用する動物病院、ホテル、ショップなどの利用施設に関する情報を登録して格納し、利用施設と通信しながら各種情報を送受信する。このような利用施設管理モジュール（１３０）は、図１０に示すように、利用施設登録部（１３１）と、利用施設情報表示部（１３２）と、更新送信部（１３３）とを含む。
【００７７】
利用施設登録部（１３１）は、ペットが利用する利用施設に関する情報を格納する。利用施設情報には、連絡先、各種情報を送信することができるサーバなどを含む。
【００７８】
利用施設情報表示部（１３２）は、利用施設から受信する情報をディスプレイ部（２０）に表示する。例えば、利用施設が動物病院である場合に利用施設情報としては、予防接種日、検診スケジュール、美容予約などの情報を確認することができる。
【００７９】
更新送信部（１３３）は、ペットに関する更新情報を送信する。更新情報は、ペットの飼い主の電話番号、住所などとセンサモジュール（５０）で測定された各種情報を含む。
【００８０】
このような利用施設管理モジュール（１３０）によって、ペットに必要な情報をリアルタイムで受信して表示することができ、ペット用表示装置に変更された情報が更新されるように提供することができる。
【００８１】
又、本発明のペット用表示装置は、一定長さ以上の長さを有するひもで形成されたリード部材（１４０）をさらに含むことができる。リード部材（１４０）は、一側がハウジング部材（１０）と結合され、他側は、ユーザが握ることができるようにハンドルが形成されて、ペット用表示装置が動物の首などに締結されたとき、ユーザがペットをリード（ｌｅａｄ）するために使用される。
【００８２】
リード部材（１４０）のハンドルには、電源モジュールに電源を供給するための補助バッテリ（１４１）が備えられる。そして、リード部材（１４０）のひもの内部に補助バッテリ（１４１）と電気的に接続されたコード（ｃｏｒｄ）が備えられ、コードの端部に電源接続部（４２）と電気的に接続するための接続端子（１４２）が備えられる。
【００８３】
それにより、リード部材（１４０）は、ペット用表示装置をペットに締結した状態で散歩などに出かける場合に、ハウジング部材にリード部を結合させてペットをリードすることができる。この際、接続端子と電源接続部（４２）を介してハンドルに備えられた補助バッテリ（１４１）の電源が電源モジュールに供給されてバッテリ（４１）を充電することもできる。
【００８４】
一方、ＭＣＵモジュール（１５０）は、それぞれの部材及びモジュールの機能を制御する。
【図１】
2017529058.tif 000003
【図２】
2017529058.tif 000004
【図３】
2017529058.tif 000005
【図４】
2017529058.tif 000006
【図５】
2017529058.tif 000007
【図６】
2017529058.tif 000008
【図７】
2017529058.tif 000009
【図８】
2017529058.tif 000010
【図９】
2017529058.tif 000011
【図１０】
2017529058.tif 000012
【図１１】
2017529058.tif 000013
【国際調査報告】
2017529058.tif 000014
2017529058.tif 000015
2017529058.tif 000016
2017529058.tif 000017